(57)【要約】【課題】  高感度・高精度・ＨＰＬＣ法との高相関性でかつ測定試料と測定試料希釈液とを混合してからＨｂＡ１ｃ測定用イムノクロマト試験片へ滴下するまでの時間の影響を受けずに、測定試料中のＨｂＡ１ｃ量のＨｂ量に対する割合であるＨｂＡ１ｃ（％）を測定できる測定試料希釈液を提供する。【解決手段】  本発明は、測定試料中のヘモグロビンＡ１ｃ量のヘモグロビン量に対する割合であるヘモグロビンＡ１ｃ（％）を定量するための測定試料希釈液であって、前記測定試料希釈液は、非イオン性界面活性剤、陰イオン性界面活性剤および緩衝剤を含む水溶液であり、前記非イオン性界面活性剤としてポリオキシエチレンソルビタン脂肪酸エステルおよびポリオキシエチレンアルキルエーテルを含む、測定試料希釈液である。【選択図】なし【特許請求の範囲】
【請求項１】
測定試料中のヘモグロビンＡ１ｃ量のヘモグロビン量に対する割合であるヘモグロビンＡ１ｃ（％）を定量するための測定試料希釈液であって、前記測定試料希釈液は、非イオン性界面活性剤、陰イオン性界面活性剤および緩衝剤を含む水溶液であり、前記非イオン性界面活性剤としてポリオキシエチレンソルビタン脂肪酸エステルおよびポリオキシエチレンアルキルエーテルを含む、測定試料希釈液。
【請求項２】
前記ポリオキシエチレンソルビタン脂肪酸エステルは、ＨＬＢが１４．０〜１８．０のものであり、前記ポリオキシエチレンアルキルエーテルは、ＨＬＢが１０．０〜１６．０のものである、請求項１に記載の測定試料希釈液。
【請求項３】
前記ポリオキシエチレンソルビタン脂肪酸エステルは、ポリオキシエチレンソルビタンモノラウレートであり、前記ポリオキシエチレンアルキルエーテルは、ポリオキシエチレンラウリルエーテルである、請求項１または２に記載の測定試料希釈液。
【請求項４】
前記ポリオキシエチレンソルビタン脂肪酸エステルを０．０５〜３．０ｗｔ％、かつ前記ポリオキシエチレンアルキルエーテルを０．０５〜３．０ｗｔ％含む、請求項１から３のいずれかに記載の測定試料希釈液。
【請求項５】
前記陰イオン性界面活性剤は、アルキル硫酸塩である、請求項１から４のいずれかに記載の測定試料希釈液。
【請求項６】
前記陰イオン性界面活性剤を０．１〜１．０ｗｔ％含む、請求項１から５のいずれかに記載の測定試料希釈液。
【請求項７】
前記緩衝剤は、リン酸緩衝剤である、請求項１から６のいずれかに記載の測定試料希釈液。
【発明の詳細な説明】
【技術分野】
【０００１】
本発明は、イムノクロマト法による測定試料中のヘモグロビンＡ１ｃ量のヘモグロビン量に対する割合であるヘモグロビンＡ１ｃ（％）を測定するための、測定試料希釈液に関する。
【背景技術】
【０００２】
世界糖尿病連合（Ｉｎｔｅｒｎａｔｉｏｎａｌ  Ｄｉａｂｅｔｅｓ  Ｆｅｄｅｒａｔｉｏｎ）によると、世界の糖尿病患者数はアメリカ、ヨーロッパなどの先進国に加え、中国、インド、ブラジルなどの新興国を含めて急増しており、２０１５年で約４．２億人存在し、２０４０年には約６．４億人に及ぶと予測され、糖尿病診断の重要性は増している。
【０００３】
糖尿病診断項目の一つであるヘモグロビンＡ１ｃ（以下、ＨｂＡ１ｃと略す場合がある）とは、血液中の酸素を運搬する役割を担うヘモグロビン（以下、Ｈｂと略す場合がある）に糖（グルコース）が結合した糖化Ｈｂの内、Ｈｂのβ鎖のＮ末端側に位置するバリン残基が糖化された物質を指し、総Ｈｂ量に対するＨｂＡ１ｃ量の割合であるＨｂＡ１ｃ（％）が過去１〜２ヶ月間の平均血糖値を反映することから、糖尿病の長期的な経過を観察するのに利用されている。
【０００４】
従来、ＨｂＡ１ｃ（％）の測定には、ＨＰＬＣ法、キャピラリー電気泳動法、酵素比色法、免疫比濁法などの測定技術が利用されていたが、これらの測定方法は専門知識を有することや分析装置が大型かつ高額であるなどの理由から、主に大規模病院や多数の検査を行う検査センターで利用されており、小規模病院ではＨｂＡ１ｃ（％）を簡単に測定できない点が問題となっていた。
【０００５】
近年、医療現場ではＰＯＣＴという言葉が注目を集めている。ＰＯＣＴとはＰｏｉｎｔ Ｏｆ Ｃａｒｅ Ｔｅｓｔｉｎｇの略であり、医療従事者が被験者の傍らで行う臨床検査のことをいう。ＰＯＣＴは大規模病院の中央検査室等で行う臨床検査とは異なり、その場で瞬時に検査結果が得られることから、糖尿病診断においてもＰＯＣＴが広まりつつある。
【０００６】
ＨｂＡ１ｃ（％）の測定を目的としたＰＯＣＴの中に、イムノクロマト法を利用した技術が提案されている。イムノクロマト法とは、毛細管現象を利用した免疫測定法であり、妊娠検査やインフルエンザ検査などにおいて世界的に普及している。従来のイムノクロマト法は目視判定（定性評価）が一般的であったが、近年、イムノクロマトリーダー等の分析装置を利用して測定試料中に含まれる分析対象物質の量を定量化する技術が開発されつつある。
【０００７】
イムノクロマト法を用いて分析対象物質の量を定量する手法の一つとしては、抗原抗体反応を利用したサンドイッチ法が挙げられる。サンドイッチ法では分析対象物質に対してエピトープの異なる２種類の抗体を利用する。一方の抗体は、金コロイド、着色ラテックス粒子、蛍光粒子等の検出粒子と感作した検出抗体として使用する。他方の抗体は、多孔質支持体の表面に線状に固定した捕捉抗体としてテストラインを形成する。加えて、前記検出抗体を特異的に捕捉する抗体を多孔質支持体の表面の、前記テストラインとは異なる位置に線状に固定しコントロールラインを形成する。測定試料中に含まれる分析対象物質は、多孔質支持体の一端（上流側）から展開し、検出抗体と免疫複合体を形成しながら移動し、テストライン上で捕捉抗体と接触して捕捉され発色する。分析対象物質と免疫複合体を形成しなかった遊離の検出試薬はテストライン上を通過し、コントロールラインの抗体に捕捉され発色する。これらの発色強度をイムノクロマトリーダー等の装置を利用することで分析対象物質の量を定量することができる。
【０００８】
前述の通り、イムノクロマト法によりＨｂＡ１ｃ（％）を測定するには、ＨｂＡ１ｃの糖化されている部位（Ｈｂのβ鎖のＮ末端側に位置するバリン残基）に特異的な抗体を使用するが、前記糖化部位はＨｂの表面に存在するのではなく、Ｈｂの内部に埋もれており、生理的な条件下では抗体が結合し難い場所に存在することが判明している。このような性状より、前記糖化部位をエピトープとして認識する抗体を効率良く反応させて測定を行うために、前記エピトープをＨｂの表面に露出させる（以下、変性と称する場合がある）技術が報告されている。
【０００９】
特許文献１、２には、測定試料希釈液に界面活性剤を含み、イムノクロマト試験片に環状多糖類を担持した構成が開示されている。前記発明は、下流の抗原抗体反応を阻害せず、かつエピトープを露出させるという点、つまり測定感度の向上に関しては一定の効果が期待される。しかしながら、前記発明は下流への展開斑が生じるため、測定精度が十分ではなかった。
【００１０】
特許文献３、４には、測定試料希釈液に非イオン性界面活性剤を含み、イムノクロマト試験片に陰イオン性界面活性剤を担持した構成が開示されている。前記発明は、展開斑の向上に関しては一定の効果が期待される。しかしながら、前記発明は、イムノクロマト試験片に担持した界面活性剤が、希釈測定試料が展開する僅かな時間でエピトープをＨｂの表面に露出させることができないため、測定感度が十分ではなく、また前記混合時間の影響を大きく受けてしまう問題があった。
【先行技術文献】
【特許文献】
【００１１】
【特許文献１】特開２０１２−２５１７８９号公報
【特許文献２】特開２０１５−１５８５１５号公報
【特許文献３】特開２０１５−２００５１７号公報
【特許文献４】特開２０１６−１６１３２９号公報
【発明の概要】
【発明が解決しようとする課題】
【００１２】
本発明は、測定試料中のＨｂＡ１ｃ量のＨｂ量に対する割合であるＨｂＡ１ｃ（％）を測定するための測定試料希釈液を提供することを課題とするものである。より詳しくは、従来よりも測定試料と測定試料希釈液とを混合してからＨｂＡ１ｃ測定用イムノクロマト試験片へ滴下するまでの時間経過の影響を受けにくく、高精度かつ高感度に測定試料中のＨｂＡ１ｃ量のＨｂ量に対する割合であるＨｂＡ１ｃ（％）を測定可能な測定試料希釈液を提供することを課題とするものである。
【課題を解決するための手段】
【００１３】
本発明者は、上記課題を解決するために鋭意研究した結果、測定試料希釈液として、ポリオキシエチレンソルビタン脂肪酸エステルおよびポリオキシエチレンアルキルエーテルを含む非イオン性界面活性剤、陰イオン性界面活性剤および緩衝剤を含む水溶液を使用することにより、従来技術よりも感度・精度・ＨＰＬＣ法との相関性が大幅に向上し、かつ測定試料と測定試料希釈液とを混合してからイムノクロマト試験片へ滴下するまでの時間経過の影響を受け難いことを見出した。
【００１４】
すなわち、代表的な本発明は以下の通りである。
（１）  測定試料中のヘモグロビンＡ１ｃ量のヘモグロビン量に対する割合であるヘモグロビンＡ１ｃ（％）を定量するための測定試料希釈液であって、前記測定試料希釈液は、非イオン性界面活性剤、陰イオン性界面活性剤および緩衝剤を含む水溶液であり、前記非イオン性界面活性剤としてポリオキシエチレンソルビタン脂肪酸エステルおよびポリオキシエチレンアルキルエーテルを含む、測定試料希釈液。
（２）  前記ポリオキシエチレンソルビタン脂肪酸エステルは、ＨＬＢが１４．０〜１８．０のものであり、前記ポリオキシエチレンアルキルエーテルは、ＨＬＢが１０．０〜１６．０のものである、（１）に記載の測定試料希釈液。
（３）  前記ポリオキシエチレンソルビタン脂肪酸エステルは、ポリオキシエチレンソルビタンモノラウレートであり、前記ポリオキシエチレンアルキルエーテルは、ポリオキシエチレンラウリルエーテルである、（１）または（２）に記載の測定試料希釈液。
（４）  前記ポリオキシエチレンソルビタン脂肪酸エステルを０．０５〜３．０ｗｔ％、かつ前記ポリオキシエチレンアルキルエーテルを０．０５〜３．０ｗｔ％含む、（１）から（３）のいずれかに記載の測定試料希釈液。
（５）  前記陰イオン性界面活性剤は、アルキル硫酸塩である、（１）から（４）のいずれかに記載の測定試料希釈液。
（６）  前記陰イオン性界面活性剤を０．１〜１．０ｗｔ％含む、（１）から（５）のいずれかに記載の測定試料希釈液。
（７）  前記緩衝剤は、リン酸緩衝剤である、（１）から（６）のいずれかに記載の測定試料希釈液。
【発明の効果】
【００１５】
本発明の測定試料希釈液は、測定試料と混合した後の時間経過が測定値に影響を与えず、またイムノクロマト試験片を移動（流動）する測定試料の展開（流動）斑を抑えることができ、さらに抗原抗体反応を促進することができるため、測定試料中のＨｂＡ１ｃ量のＨｂ量に対する割合であるＨｂＡ１ｃ（％）を迅速、高感度、高精度に測定することができる。
【図面の簡単な説明】
【００１６】
【図１】イムノクロマト試験片の一例を示す（上面）図である。
【図２】イムノクロマト試験片の一例を示す（側面）図である。
【発明を実施するための形態】
【００１７】
本発明において、測定試料は、特に限定されないが、例えば、血液、リンパ液、髄液、汗、尿、涙液、唾液、皮膚、粘膜、毛髪等の生体試料が挙げられる。血液においては、全血のほか、血液を遠心分離して得られた血清、血球または血漿を試料とすることができる。また、測定試料はヒト由来に限らず、イヌ、ネコ、ウシ等の哺乳動物由来の生体試料も対象である。また、本発明における測定項目は、測定試料中のＨｂＡ１ｃ量のＨｂ量に対する割合であるＨｂＡ１ｃ（％）である。
【００１８】
本発明の測定試料希釈液は、非イオン性界面活性剤、陰イオン性界面活性剤および緩衝剤を含む水溶液である。前記測定試料希釈液中に非イオン性界面活性剤としてポリオキシエチレンソルビタン脂肪酸エステルを含むことによって、イムノクロマト試験片を移動（流動）する測定試料の展開斑を抑えることができるため測定精度を高めることができる。また、前記測定試料希釈液中に非イオン性界面活性剤としてポリオキシエチレンアルキルエーテルを含むことによって、下流の抗原抗体反応を促進し、測定感度を高めることができる。また、前記測定試料希釈液中に陰イオン性界面活性剤を含むことによって、測定試料と測定試料希釈液とを混合してからイムノクロマト試験片へ滴下するまでの時間経過による測定値（例えば、後述のテストラインの反射吸光度）の変動を抑制し、測定精度を高めることができる。さらに、緩衝剤を含むことによって、ｐＨ変動による抗原抗体反応の阻害を抑制し、測定感度の低下を防止できる。なお、本発明における測定項目は、測定試料中のＨｂＡ１ｃ量のＨｂ量に対する割合であるＨｂＡ１ｃ（％）であるため、前記非イオン性界面活性剤、陰イオン性界面活性剤のいずれかは、溶血作用を示す界面活性剤であることが好ましい。
【００１９】
本発明において、非イオン性界面活性剤としては、測定試料の展開均一性を向上させ、かつ下流の抗原抗体反応を促進する観点から、ポリオキシエチレンソルビタン脂肪酸エステルおよびポリオキシエチレンアルキルエーテルの両方を含むのが好ましい。
【００２０】
本発明において、前記ポリオキシエチレンソルビタン脂肪酸エステルのＨＬＢ（Ｈｙｄｒｏｐｈｉｌｉｃ−Ｌｉｐｏｐｈｉｌｉｃ Ｂａｌａｎｃｅ）は、測定試料の展開均一性の観点から、１４．０〜１８．０が好ましく、１５．０〜１８．０がより好ましい。
【００２１】
本発明において、ＨＬＢは、グリフィン法を用い、ＨＬＢ＝２０×（親水部の式量の総和／分子量）で算出されたものである。
【００２２】
また、前記ポリオキシエチレンソルビタン脂肪酸エステルとして、ポリオキシエチレンソルビタンモノラウレート（例えば、Ｔｗｅｅｎ（登録商標）２０）、ポリオキシエチレンソルビタンモノパルミテート（例えば、Ｔｗｅｅｎ（登録商標）４０）、ポリオキシエチレンソルビタンモノステアレート（例えば、Ｔｗｅｅｎ（登録商標）６０）、ポリオキシエチレンソルビタンモノオレエート（例えば、Ｔｗｅｅｎ（登録商標）８０）等が挙げられる。これらの中でも、測定試料の展開均一性の観点から、ポリオキシエチレンソルビタンモノラウレートが好ましい。
【００２３】
前記ポリオキシエチレンアルキルエーテルのＨＬＢは、１０．０〜１６．０が好ましく、１１．０〜１４．０がより好ましい。ＨＬＢが小さいと、水への溶解が困難となる。一方、ＨＬＢが大きいと、下流の抗原抗体反応の促進が不十分となり、測定感度が低下することがある。
【００２４】
また、前記ポリオキシエチレンアルキルエーテルとして、ポリオキシエチレンラウリルエーテル（例えば、エマルゲン（登録商標）１０４Ｐ、１０５、１０６、１０８、１０９Ｐ、１２０、１２３Ｐ、１４７、１５０）、ポリオキシエチレンセチルエーテル（例えば、エマルゲン（登録商標）２１０、２２０）、ポリオキシエチレンステアリルエーテル（例えば、エマルゲン（登録商標）３０６Ｐ、３２０Ｐ、３５０）、ポリオキシエチレンオレイルエーテル（例えば、エマルゲン（登録商標）４０４、４０８、４０９ＰＶ、４２０、４３０）等が挙げられる。これらの中でも、下流の抗原抗体反応を促進する観点から、ポリオキシエチレンラウリルエーテルが好ましい。
【００２５】
本発明において、測定試料希釈液中の前記ポリオキシエチレンソルビタン脂肪酸エステルの濃度は、０．０５〜３．０ｗｔ％が好ましく、０．１〜２．０ｗｔ％がより好ましい。濃度が低いと、下流への展開不可能となるか、展開しても不均一となり測定精度が大幅に低下することがある。一方、濃度が高いと、物理的に吸着している検出粒子と検出抗体、および／またはメンブレンと捕捉抗体とが乖離し、測定値が得られないか、得られたとしても測定感度が大幅に低下することがある。また、前記ポリオキシエチレンアルキルエーテルの濃度は、０．０５〜３．０ｗｔ％が好ましく、０．１〜２．０ｗｔ％がより好ましい。濃度が低いと、下流の抗原抗体反応の促進効果が得られず、測定感度が低下することがある。一方、濃度が高いと、物理的に吸着している検出粒子と検出抗体、および／またはメンブレンと捕捉抗体とが乖離し、測定値が全く得られないか、得られたとしても測定感度が大幅に低下することがある。
【００２６】
本発明において、陰イオン性界面活性剤としては、前記測定試料中のＨｂＡ１ｃを即座に変性し、かつ下流の抗原抗体反応を阻害しなければ、特に限定されないが、ドデシル硫酸ナトリウム（ＳＤＳ）、ドデシル硫酸リチウム（ＬＤＳ）等のアルキル硫酸塩、コール酸ナトリウム、デオキシコール酸ナトリウム等の胆汁酸塩、ポリオキシエチレンラウリルエーテル硫酸ナトリウム等のポリオキシエチレンアルキルエーテル硫酸塩、ドデシルベンゼンスルホン酸ナトリウム等のアルキルベンゼンスルホン酸塩、ラウロイルメチルアラニン、Ｎ−ラウロイルサルコシンナトリウム塩等のアシルアミノ酸塩、ジアルキルスルホコハク酸ナトリウム、βナフタレンスルホン酸ホルマリン縮合物ナトリウム塩及び特殊ポリカルボン酸型高分子界面活性剤等が挙げられる。これらの中でも、アルキル硫酸塩が好ましく、ドデシル硫酸ナトリウム（ＳＤＳ）がより好ましい。なお、前記アルキル硫酸塩は溶血作用を示す界面活性剤である。
【００２７】
本発明において、測定試料希釈液中の陰イオン性界面活性剤の濃度は、特に限定されないが、０．０５〜２．０ｗｔ％が好ましく、０．１〜１．０ｗｔ％がより好ましい。濃度が低いと、ＨｂＡ１ｃの変性に時間がかかるため、測定試料と測定試料希釈液とを混合してからイムノクロマト試験片へ滴下するまでの時間により、測定値（例えば、後述のテストラインの反射吸光度）が変動し、測定精度が低下することがある。一方、濃度が高いと、下流の抗原抗体反応を阻害するため、測定感度が低下することがある。
【００２８】
本発明において、前記緩衝剤としては、目的とするｐＨ範囲において充分な緩衝能力を有していれば、いかなる種類の緩衝剤を用いてもよく、例えば、トリス、リン酸、フタル酸、クエン酸、マレイン酸、コハク酸、シュウ酸、ホウ酸、酒石酸、酢酸、炭酸、グッドバッファー（ＭＥＳ、ＡＤＡ、ＰＩＰＥＳ、ＡＣＥＳ、コラミン塩酸、ＢＥＳ、ＴＥＳ、ＨＥＰＥＳ、アセトアミドグリシン、トリシン、グリシンアミド、ビシン）が挙げられる。これらの中でも、本発明に用いる抗体の至適ｐＨ範囲である７．０付近において充分な緩衝能力を有する等の理由から、トリス、リン酸、ＭＥＳ、ＰＩＰＥＳ、ＴＥＳ、ＨＥＰＥＳが好ましく、リン酸、トリス、ＰＩＰＥＳがより好ましく、リン酸がさらに好ましい。
【００２９】
本発明において、測定試料希釈液中の前記緩衝剤の濃度は、１０〜８０ｍＭが好ましく、２０〜６０ｍＭがより好ましい。濃度が低いと、目的とするｐＨ範囲において充分な緩衝能力を有さず測定感度が大幅に低下することがある。一方、濃度が高いと、検出粒子の凝集により下流への展開不可能となるか、展開しても不均一となり測定精度が大幅に低下することがある。
【００３０】
本発明において、測定試料希釈液は、酸化剤を含んでいてもよい。前記酸化剤としては、Ｈｂを酸化し、かつ下流の抗原抗体反応を阻害しなければ、特に限定されないが、ハロゲンオキソ酸塩、遷移金属錯体の塩、過酸化物、過マンガン酸塩、クロム酸塩、亜硝酸塩、および超酸化物が挙げられる。ハロゲンオキソ酸塩としては、例えば、次亜塩素酸、亜塩素酸、塩素酸、過塩素酸、次亜臭素酸、亜臭素酸、臭素酸、過臭素酸、次亜ヨウ素酸、亜ヨウ素酸、ヨウ素酸、および過ヨウ素酸のアルカリ金属塩、アルカリ土類金属塩、およびアンモニウム塩が挙げられる。遷移金属錯体の塩としては、例えば、アルカリ金属塩、アルカリ土類金属塩、およびアンモニウム塩のフェリシアン化塩が挙げられる。過酸化物としては、例えば有機過酸化物が挙げられる。過マンガン酸塩としては、例えばアルカリ金属またはアルカリ土類金属の過マンガン酸塩が挙げられる。これらの中でも、亜硝酸塩が好ましく、亜硝酸ナトリウムがより好ましい。酸化剤を含むことで、測定試料中のＨｂの酸化斑に起因する抗原抗体反応斑を抑制することができ、測定精度の向上が期待できる。また、測定試料中の非特異反応の原因となる物質をも酸化することで、非特異反応の進行を抑制でき、測定精度の向上が期待できる。
【００３１】
本発明において、測定試料希釈液中の前記酸化剤の濃度は、特に限定されないが、０．０１〜１．０ｗｔ％が好ましい。濃度が低いと、Ｈｂの酸化が不十分となり、測定値（例えば、後述のテストラインの反射吸光度）が変動し、測定精度が低下することがある。一方、濃度が高いと、下流の抗原抗体反応を阻害するため、測定感度が低下することがある。
【００３２】
本発明において、測定試料希釈液は、アジ化剤を含んでいてもよい。前記アジ化剤としては、Ｈｂをアジ化し、かつ下流の抗原抗体反応を阻害しなければ、特に限定されないが、アジ化ナトリウムが好ましい。なお、前記アジ化剤は保存時には防腐剤としても作用する。アジ化剤を含むことで、測定試料中のＨｂのアジ化斑に起因する抗原抗体反応斑を抑制することができ、測定精度の向上が期待できる。また、測定試料中の非特異反応の原因となる物質をアジ化することで、非特異反応の進行を抑制でき、測定精度の向上が期待できる。
【００３３】
前記アジ化剤の濃度は、特に限定されないが、０．０１〜０．２ｗｔ％が好ましい。濃度が低いと、Ｈｂのアジ化が不十分となり、測定値（例えば、後述のテストラインの反射吸光度）が変動し、測定精度が低下することがある。一方、濃度が高いと、下流の抗原抗体反応を阻害するため、測定感度が低下することがある。
【００３４】
本発明において、測定試料希釈液は、必要に応じて、ブロッキング用タンパク質（Ｂｌｏｃｋｉｎｇ Ｐｅｐｔｉｄｅ Ｆｒａｇｍｅｎｔ（ＢＰＦ）、ウシ血清アルブミン（ＢＳＡ）、カゼイン等）、塩類（塩化ナトリウム、塩化カリウム、塩化カルシウム、塩化マグネシウム、塩化アルミニウム等）、および／または抗体安定化剤（単糖類、オリゴ糖類、多糖類、糖アルコール、グリセロール、グルコン酸塩、アミノ酸類、アルブミン類、グロブリン類、繊維性タンパク質等）を添加してもよい。
【００３５】
前記測定試料希釈液による測定試料の希釈倍率は、特に限定されないが、１００〜２０００倍希釈が好ましく、２００〜１５００倍希釈がより好ましい。測定試料の希釈倍率が小さいと、下流への展開が困難となる。また、測定試料中の共雑物質の影響も受けやすくなり、測定精度が低下することがある。一方、測定試料の希釈倍率が大きいと、測定試料中のＨｂおよびＨｂＡ１ｃの濃度が低下し、測定感度が低下することがある。
【００３６】
本発明の測定試料希釈液の使用について、イムノクロマト試験片を用いたＨｂＡ１ｃ（％）の測定を例に挙げて説明する。なお、イムノクロマト試験片の構成は、特に限定されないが、イムノクロマト試験片の試料添加部（滴下部）を上流側として、前記添加部を有するサンプルパッド、コンジュゲーションパッド、メンブレン、吸収パッドの順に連接配置されている構成が好ましい。次いで、本発明のイムノクロマト試験片の一例を、図面を参照して説明するが、本発明を何ら限定するものではない。図１および図２において、１はサンプルパッド、２はコンジュゲーションパッド、３はメンブレン、４は吸収パッド、５はバッキングシート、６はテストライン、７はコントロールライン、８は粘着シートをそれぞれ示す。
【００３７】
図１および図２の例では、イムノクロマト試験片は、幅３〜５ｍｍ、長さ４０〜１００ｍｍの細長い短冊状の形態をしている。なお、イムノクロマト試験片のメンブレン３の上流側の端部から約１０ｍｍの位置に捕捉抗体を線状に固定したテストライン６が形成される。また、前記端部から約１５ｍｍの位置に別の捕捉抗体を線状に固定したコントロールライン７が形成される。さらに、イムノクロマト試験片のコンジュゲーションパッド２には検出抗体と検出粒子との複合体であるテストライン検出試薬、および標識したブロッキング用タンパク質と検出粒子との複合体であるコントロールライン検出試薬が坦持されている。
【００３８】
初めに、測定試料が所定の希釈倍率になるように測定試料希釈液を添加混合して希釈された測定試料を得る。次いで、前記希釈された測定試料をサンプルパッド１に滴下すると、希釈された測定試料は毛細管現象によりサンプルパッド１を通過してコンジュゲーションパッド２に展開する。その際、希釈された測定試料はコンジュゲーションパッド２に坦持されたテストライン検出試薬およびコントロールライン検出試薬を溶解しながら、希釈された測定試料中のＨｂＡ１ｃとテストライン検出試薬中の抗ＨｂＡ１ｃ抗体で感作した検出粒子とが免疫複合体を形成する。なお、希釈された測定試料中のＨｂＡ１ｃ以外のＨｂ（例えば、ＨｂＡ０等）はテストライン検出試薬とは免疫複合体を形成しない。次いで、前記希釈された測定試料はメンブレン３に展開する。希釈された測定試料がテストライン６に到達すると、前記免疫複合体はテストラインを形成する捕捉抗体（抗Ｈｂ抗体）で捕捉されて集積し、テストライン６が発色する。なお、希釈された測定試料中のＨｂＡ１ｃ以外のＨｂ（例えば、ＨｂＡ０等）もテストラインを形成する捕捉抗体（抗Ｈｂ抗体）で捕捉されて集積するため、テストライン上では免疫複合体とＨｂＡ１ｃ以外のＨｂ（例えば、ＨｂＡ０等）との競合的な捕捉が生じ、捕捉される確率は測定試料中のＨｂＡ１ｃ量のＨｂ量に対する割合であるＨｂＡ１ｃ（％）に依存する。つまり、テストラインの発色強度から、ＨｂＡ１ｃ（％）を直接測定することが可能となる。その後、前記希釈された測定試料がコントロールライン７に到達すると、コントロールライン検出試薬中の標識物質（ビオチン）で標識したブロッキング用タンパク質で感作した検出粒子はコントロールラインを形成する捕捉抗体（抗ビオチン抗体）で捕捉されて集積し、コントロールライン７が発色する。最後に、前記希釈された測定試料は吸収パッド４で吸収される。
【００３９】
前記ＨｂＡ１ｃ（％）は、テストラインの発色強度から直接測定してもよいし、希釈された測定試料の流動斑を考慮し、テストラインの発色強度をコントロールラインの発色強度で割り算した補正値から測定してもよい。
【００４０】
本発明において、イムノクロマト試験片のテストラインおよびコントロールラインの測定方法は、特に限定されず、市販のイムノクロマトリーダーを用いてもよいし、別途公知の方法でイムノクロマトリーダーを製造してもよい。検出系としては、特に限定されないが、例えばＬＥＤ−ＦＤ、ＬＥＤ−ＣＭＯＳ、ＬＥＤ−ＣＣＤを使用することができる。
【００４１】
本発明において、検出粒子は、特に制限されないが、着色粒子や蛍光粒子を用いることができる。着色粒子としては金属粒子、ラテックス粒子、セルロース粒子などを例示することができる。金属粒子としては、金コロイド、銀コロイド、白金コロイド、パラジウムコロイド、金ナノロッド、金ナノプレート、銀ナノプレートなどを例示することができ、平均粒子径は１〜１００ｎｍが好ましい。ラテックス粒子としては、ポリスチレン、ポリメタクリル酸メチル、アクリル酸重合体などの材質からなるものを例示することができ、平均粒子径は２５〜５００ｎｍが好ましい。蛍光粒子としては、ポリスチレン、ポリメタクリル酸メチル、ポリビニルトルエン、シリカなどの材質からなるものを例示することができ、蛍光色素としてはフルオレセインおよびその誘導体、ローダミンおよびその誘導体、シアニンおよびその誘導体などを例示することができる。これらの中でも、分散性が高く、視認性に優れるセルロース粒子が好ましい。
【００４２】
前記セルロース粒子は、大量の水酸基を有するため、多くの反応性染料を共有結合により保持することができるだけでなく、濃染化した後も水などへの安定分散性を保持することができる。セルロース粒子として、再生セルロース、精製セルロース、天然セルロース等を用いることができるし、一部誘導体化されたセルロースを用いてもよい。前記セルロース粒子の重量の２０〜９０ｗｔ％はセルロース由来であることが好ましく、２０〜８０ｗｔ％がより好ましく、２０〜７０ｗｔ％がさらに好ましい。
【００４３】
前記セルロース粒子の平均粒子径は、特に限定されないが、１００〜１０００ｎｍが好ましく、２００〜８００ｎｍがより好ましい。平均粒子径が１０００ｎｍより大きいと、下流への展開が遅くなり、測定時間が長くなる。また、メンブレン上に捕捉されやすくなり、バックグラウンド自体が発色してしまうことでテストラインおよびコントロールラインでの発色が不明瞭になることがある。一方、平均粒子径が１００ｎｍより小さいと、物理吸着または化学結合できる抗体量が低下し、測定感度が低下することがある。
【００４４】
前記セルロース粒子の色は、特に限定されないが、例えば赤色、青色、黄色、緑色、黒色、白色、蛍光色が挙げられる。これらの中でも、最も汎用的な市販の金コロイド（赤色）測定用のイムノクロマトリーダーで測定可能であり、かつ非特異吸着による擬陽性が発生し難い赤色が好ましい。このようなセルロース粒子としては、旭化成社製の着色セルロースナノビーズ（ＮａｎｏＡｃｔ（登録商標））が挙げられるが、この中でもＲｅｄ（ＲＥ１）、Ｄａｒｋ  Ｒｅｄ（ＲＥ２）が好ましく、Ｄａｒｋ  Ｒｅｄ（ＲＥ２）がより好ましい。通常、赤色セルロース微粒子は非特異吸着による擬陽性が発生し難いが、測定感度も低いという問題点がある。しかし、本発明の検体希釈液を使用することで、非特異吸着を抑制するだけでなく、抗原抗体反応を高めることができるので、青色または黒色セルロース微粒子と同等かそれ以上の高い測定感度を実現可能である。
【実施例】
【００４５】
以下、本発明を実施例に基づいて詳細に説明するが、本発明はこれらの実施例に限定されるものではない。なお、実施例で記載するＨｂＡ１ｃ（％）は全てＮＧＳＰ値である。
【００４６】
（実施例１）
（１）ＨｂＡ１ｃ測定用テストライン検出試薬の調製
８．５７ｍｇ／ｍＬの抗ＨｂＡ１ｃモノクローナル抗体（ＨｂＡ１ｃ  Ａｎｔｉｂｏｄｙ、ＯＡＭＡ０２３２９、ＡＶＩＶＡ  ＳＹＳＴＥＭ  ＢＩＯＬＯＧＹ社製）を蒸留水（大塚蒸留水、大塚製薬社製）で１．０ｍｇ／ｍＬに調製した。次いで、１．０ｗｔ％のセルロース粒子（ＮａｎｏＡｃｔ（登録商標）、ＲＥ２：Ｄａｒｋ  Ｒｅｄ、平均粒子径３４０ｎｍ、旭化成社製）１００μＬ、１０ｍＭのトリス緩衝液（２０４−０７８８５、和光純薬工業社製）（ｐＨ８．０）９００μＬ、および前記１．０ｍｇ／ｍＬ（０．１ｗｔ％）の抗ＨｂＡ１ｃモノクローナル抗体１００μＬを１５ｍＬの遠沈管に加え、ボルテックスで撹拌した。次いで、３７℃に調整した低温インキュベーター（ＩＮ６０４、ヤマト科学社製）に入れ１２０分間静置した。次いで、１．０ｗｔ％のカゼイン（０３０−０１５０５、和光純薬工業社製）、１００ｍＭのホウ酸緩衝液（０２１−０２１９５、和光純薬工業社製）からなるブロッキング液（ｐＨ８．０）１２ｍＬを加え、さらに３７℃に調整した低温インキュベーター（ＩＮ６０４、ヤマト科学社製）で６０分間静置した。次いで、遠心分離機（ＭＸ−３０７、トミー精工社製）とラックインローター（ＴＭＡ−３００、トミー精工社製）とラック（ＡＲ５１０−０４、トミー精工社製）を用い、１０，０００Ｇの遠心を２５℃で１５分間行い、抗体感作セルロース粒子を沈降させた後に上澄みを除去した。次いで、５０ｍＭのホウ酸緩衝液（０２１−０２１９５、和光純薬工業社製）からなる洗浄液（ｐＨ１０．０）１２ｍＬを加え、超音波分散機（ＵＨ−５０、エスエムテー社製）で１０秒間処理した。次いで、遠心分離機（ＭＸ−３０７、トミー精工社製）とラックインローター（ＴＭＡ−３００、トミー精工社製）とラック（ＡＲ５１０−０４、トミー精工社製）を用い、１０，０００Ｇの遠心を２５℃で１５分間行い、抗体感作セルロース粒子を沈降させた後に上澄みを除去した。次いで、１５ｗｔ％のスクロース（１９６−０００１５、和光純薬工業社製）、０．２ｗｔ％のカゼイン（０３０−０１５０５、和光純薬工業社製）、６２ｍＭのホウ酸緩衝液（０２１−０２１９５、和光純薬工業社製）からなる塗布液（ｐＨ９．２）２．０ｍＬを加え、超音波分散機（ＵＨ−５０、エスエムテー社製）で１０秒間処理し、ＨｂＡ１ｃ測定用テストライン検出試薬を得た。
【００４７】
（２）ＨｂＡ１ｃ測定用コントロールライン検出試薬の調製
Ｄビオチン（０４８２２−９１、ナカライテスク社製）１６ｍｇ、およびジメチルスルホキシド：ＤＭＳＯ（０８９０４−１４、ナカライテスク社製）１０００μＬを１．５ｍＬマイクロチューブに加え、ボルテックスで撹拌し、Ｄビオチン溶液を得た。次いで、１−エチル−３−（３−ジメチルアミノプロピル）カルボジイミド塩酸塩：ＥＤＣ（１５０２２−８６、ナカライテスク社製）２０ｍｇ、Ｎ−ヒドロキシスクシンイミド：ＮＨＳ（１８９４８−０２、ナカライテスク社製）２０ｍｇ、および蒸留水（大塚蒸留水、大塚製薬社製）１００μＬを１．５ｍＬマイクロチューブに加え、ボルテックスで撹拌し、ＥＤＣ／ＮＨＳ溶液を得た。次いで、前記Ｄビオチン溶液１００μＬおよび前記ＥＤＣ／ＮＨＳ溶液１００μＬを混合した後、２５℃に調整した低温インキュベーター（ＩＮ６０４、ヤマト科学社製）に入れ１５分間静置し、Ｄビオチン／ＥＤＣ／ＮＨＳ溶液を得た。次いで、Ｂｌｏｃｋｉｎｇ  Ｐｅｐｔｉｄｅ  Ｆｒａｇｍｅｎｔ：ＢＰＦ（ＢＰＦ−３０１、東洋紡社製）１０ｍｇ、および蒸留水（大塚蒸留水、大塚製薬社製）１００μＬを１．５ｍＬマイクロチューブに加え、ボルテックスで撹拌し、ＢＰＦ溶液を得た。次いで、前記Ｄビオチン／ＥＤＣ／ＮＨＳ溶液１００μＬと前記ＢＰＦ溶液１００μＬを混合した後、２５℃に調整した低温インキュベーター（ＩＮ６０４、ヤマト科学社製）に入れ３０分間静置し、Ｄビオチン−ＢＰＦ溶液を得た。次いで、１．０ｗｔ％のセルロース粒子（ＮａｎｏＡｃｔ（登録商標）、ＲＥ２：Ｄａｒｋ  Ｒｅｄ、平均粒子径３４０ｎｍ、旭化成社製）１００μＬ、１０ｍＭのトリス緩衝液（２０４−０７８８５、和光純薬工業社製）（ｐＨ８．０）９００μＬ、および前記Ｄビオチン−ＢＰＦ溶液１００μＬを１５ｍＬの遠沈管に加え、ボルテックスで撹拌した。次いで、３７℃に調整した低温インキュベーター（ＩＮ６０４、ヤマト科学社製）に入れ１２０分間静置した。次いで、１．０ｗｔ％のカゼイン（０３０−０１５０５、和光純薬工業社製）、１００ｍＭのホウ酸緩衝液（０２１−０２１９５、和光純薬工業社製）からなるブロッキング液（ｐＨ８．０）１２ｍＬを加え、さらに３７℃に調整した低温インキュベーター（ＩＮ６０４、ヤマト科学社製）で６０分間静置した。次いで、遠心分離機（ＭＸ−３０７、トミー精工社製）とラックインローター（ＴＭＡ−３００、トミー精工社製）とラック（ＡＲ５１０−０４、トミー精工社製）を用い、１０，０００Ｇの遠心を２５℃で１５分間行い、Ｄビオチン感作セルロース粒子を沈降させた後に上澄みを除去した。次いで、５０ｍＭのホウ酸緩衝液（０２１−０２１９５、和光純薬工業社製）からなる洗浄液（ｐＨ１０．０）１２ｍＬを加え、超音波分散機（ＵＨ−５０、エスエムテー社製）で１０秒間処理した。次いで、遠心分離機（ＭＸ−３０７、トミー精工社製）とラックインローター（ＴＭＡ−３００、トミー精工社製）とラック（ＡＲ５１０−０４、トミー精工社製）を用い、１０，０００Ｇの遠心を２５℃で１５分間行い、Ｄビオチン感作セルロース粒子を沈降させた後に上澄みを除去した。次いで、１５ｗｔ％のスクロース（１９６−０００１５、和光純薬工業社製）、０．２ｗｔ％のカゼイン（０３���−０１５０５、和光純薬工業社製）、６２ｍＭのホウ酸緩衝液（０２１−０２１９５、和光純薬工業社製）からなる塗布液（ｐＨ９．２）２．０ｍＬを加え、超音波分散機（ＵＨ−５０、エスエムテー社製）で１０秒間処理し、ＨｂＡ１ｃ測定用コントロールライン検出試薬を得た。
【００４８】
（３）ＨｂＡ１ｃ測定用メンブレンカードの作製
３．６ｍｇ／ｍＬの抗Ｈｂモノクローナル抗体（ＨＢＡ１  Ａｎｔｉｂｏｄｙ、ＯＡＭＡ０２３２６、ＡＶＩＶＡ  ＳＹＳＴＥＭ  ＢＩＯＬＯＧＹ社製）を蒸留水（大塚蒸留水、大塚製薬社製）で１．０ｍｇ／ｍＬに調製した。次いで、１．０ｍｇ／ｍＬの抗ビオチンポリクローナル抗体（Ｂｉｏｔｉｎ  Ａｎｔｉｂｏｄｙ、Ａ１５０−１１１Ａ、ＢＥＴＨＹＬ社製）を蒸留水（大塚蒸留水、大塚製薬社製）で０．５ｍｇ／ｍＬに調製した。次いで、上流側に２０ｍｍ×３００ｍｍの粘着テープ部、中央に２５ｍｍ×３００ｍｍのメンブレン部、下流側に１５ｍｍ×３００ｍｍの粘着テープ部から構成される６０ｍｍ×３００ｍｍのメンブレンカード（Ｈｉ−Ｆｌｏｗ  Ｐｌｕｓ  １２０  Ｍｅｍｂｒａｎｅ  Ｃａｒｄｓ、ＨＦ１２０、Ｍｉｌｌｉｐｏｒｅ社製）のメンブレン部の上流側から１０ｍｍの位置に、分注プラットフォーム（ＸＹＺ３０６０、ＢＩＯＤＯＴ社製）と、Ｂｉｏ Ｊｅｔノズル（ＢＨＱＨＲ−ＸＹＺ、ＢＩＯＤＯＴ社製）を用い、前記１．０ｍｇ／ｍＬの抗Ｈｂモノクローナル抗体を１．０μＬ／ｃｍの塗布量で塗布した後、４５℃に調整した乾燥機（ＷＦＯ−５１０、東京理化器械社製）で３０分間乾燥し、ライン幅約１ｍｍのテストラインを形成した。さらに、前記テストラインを形成したメンブレンカードのメンブレン部の上流側から１５ｍｍの位置に、分注プラットフォーム（ＸＹＺ３０６０、ＢＩＯＤＯＴ社製）と、Ｂｉｏ Ｊｅｔノズル（ＢＨＱＨＲ−ＸＹＺ、ＢＩＯＤＯＴ社製）を用い、前記０．５ｍｇ／ｍＬの抗ビオチンポリクローナル抗体を１．０μＬ／ｃｍの塗布量で塗布した後、４５℃に調整した乾燥機（ＷＦＯ−５１０、東京理化器械社製）で３０分間乾燥し、ライン幅約１ｍｍのコントロールラインを形成することで、ＨｂＡ１ｃ測定用メンブレンカードを得た。
【００４９】
（４）ＨｂＡ１ｃ測定用コンジュゲーションパッドの作製
前記ＨｂＡ１ｃ測定用テストライン検出試薬および前記ＨｂＡ１ｃ測定用コントロールライン検出試薬を、６：１の割合（質量比）で混合した。なお、ＨｂＡ１ｃ測定用テストライン検出試薬およびＨｂＡ１ｃ測定用コントロールライン検出試薬中の粒子濃度が同一である場合は、体積比６：１の割合で混合すればよい。次いで、１０ｍｍ×３００ｍｍのコンジュゲーションパッド（ＧＬＡＳＳＦＩＢＥＲ  ＤＩＡＧＮＯＳＴＩＣ  ＰＡＤ、ＧＦＤＸ００１０５０、Ｍｉｌｌｉｐｏｒｅ社製）の全面に、分注プラットフォーム（ＸＹＺ３０６０、ＢＩＯＤＯＴ社製）と、Ａｉｒ Ｊｅｔノズル（ＡＪＱＨＲ−ＸＹＺ、ＢＩＯＤＯＴ社製）を用い、前記混合液を１５μＬ／ｃｍの塗布量で均一に塗布した後、４５℃に調整した乾燥機（ＷＦＯ−５１０、東京理化器械社製）で３０分間乾燥し、ＨｂＡ１ｃ測定用コンジュゲーションパッドを得た。
【００５０】
（５）ＨｂＡ１ｃ測定用イムノクロマト試験片の作製
前記ＨｂＡ１ｃ測定用メンブレンカードの上流側の２０ｍｍ×３００ｍｍの粘着テープ部に、メンブレン部と５ｍｍ重なるよう前記ＨｂＡ１ｃ測定用コンジュゲーションパッドを貼り合わせた。次いで、さらに上流側に前記コンジュゲーションパッドと５ｍｍ重なるよう２０ｍｍ×３００ｍｍのサンプルパッド（ＣＥＬＬＵＬＯＳＥ  ＦＩＢＥＲ  ＳＡＭＰＬＥ  ＰＡＤＳ、ＣＦＳＰ００２０００、Ｍｉｌｌｉｐｏｒｅ社製）を貼り合わせた。次いで、前記ＨｂＡ１ｃ測定用メンブレンカードの下流側の１５ｍｍ×３００ｍｍの粘着テープ部に、メンブレン部と５ｍｍ重なるよう２０ｍｍ×３００ｍｍの吸収パッド（ＣＥＬＬＵＬＯＳＥ  ＦＩＢＥＲ  ＳＡＭＰＬＥ  ＰＡＤＳ、ＣＦＳＰ００２０００、Ｍｉｌｌｉｐｏｒｅ社製）を貼り合わせた。次いで、ギロチン式カッティングモジュール（ＣＭ５０００、ＢＩＯＤＯＴ社製）を用い、幅４ｍｍ、長さ６０ｍｍの短冊状にカットすることで、ＨｂＡ１ｃ測定用イムノクロマト試験片を得た。
【００５１】
（６）測定試料希釈液の調製
りん酸緩衝生理食塩粉末（１６２−１９３２１、和光純薬工業社製）１袋、ポリオキシエチレンソルビタンモノラウレート：Ｔｗｅｅｎ（登録商標）２０（３５６２４−０２、ナカライテスク社製）２．０ｇ、ポリオキシエチレンラウリルエーテル：エマルゲン（登録商標）１０８（ＨＬＢ：１２．１、花王社製）１．０ｇ、ドデシル硫酸ナトリウム：ＳＤＳ（１９４−１３９８５、和光純薬工業社製）１．０ｇ、亜硝酸ナトリウム（１９９−０２５６５、和光純薬工業社製）０．２ｇ、アジ化ナトリウム（１９９−１１０９５、和光純薬工業社製）０．２ｇを蒸留水（大塚蒸留水、大塚製薬社製）１５０ｍＬに溶解し、蒸留水（大塚蒸留水、大塚製薬社製）で２００ｍＬにメスアップした後、５００ｍＬガラス瓶に移し、測定試料希釈液（５０ｍＭ  ＰＢＳ、１．０ｗｔ％Ｔｗｅｅｎ（登録商標）２０、０．５ｗｔ％エマルゲン（登録商標）１０８、０．５ｗｔ％ＳＤＳ、０．１ｗｔ％亜硝酸ナトリウム、０．１ｗｔ％アジ化ナトリウム）を調製した。
【００５２】
（７）希釈試料の調製
市販のＨｂＡ１ｃ標準物質であるＨｂＡ１ｃ測定性能評価用試料（ＱＲＭ  ＨｂＡ１ｃ  ２００７−１、検査医学標準物質機構社製、Ｌ１〜Ｌ５の５水準）を、それぞれ前記測定試料希釈液にて１０００倍に希釈することで、ＨＰＬＣで測定したＨｂＡ１ｃ（％）がＬ１＝５．０１％、Ｌ２＝５．６５％、Ｌ３＝７．３５％、Ｌ４＝９．５１％、Ｌ５＝１１．２６％の希釈ＨｂＡ１ｃ試料（Ｌ１〜Ｌ５）を得た。
【００５３】
（８）ＨｂＡ１ｃ測定用イムノクロマト試験片の評価：感度の評価
前記ＨｂＡ１ｃ測定用イムノクロマト試験片を水平な台に設置した。次いで、混合時間が１０秒間の前記希釈ＨｂＡ１ｃ試料（Ｌ１、Ｌ４）１００μＬを、マイクロピペットで分取し、サンプルパッドに緩やかに滴下し、２５℃で１０分間静置した。次いで、メンブレン上のコントロールラインおよびテストラインの反射吸光度（ｍＡｂｓ）をイムノクロマトリーダー（Ｃ１００６０−１０、測定モード：Ｇｏｌｄ  Ｃｏｌｌｏｉｄ、Ｌｉｎｅ、浜松ホトニクス社製）を用いて測定した。前記実験操作を前記希釈ＨｂＡ１ｃ試料（Ｌ１、Ｌ４）に対してそれぞれＮ＝１０（合計で前記ＨｂＡ１ｃ測定用イムノクロマト試験片を２０本使用）で行った。感度の指標として、前記希釈ＨｂＡ１ｃ試料（Ｌ４）のテストラインの反射吸光度（ｍＡｂｓ）のＮ＝１０平均値と、前記希釈ＨｂＡ１ｃ試料（Ｌ１）のテストラインの反射吸光度（ｍＡｂｓ）のＮ＝１０平均値との差：ΔＬ４−Ｌ１（ｍＡｂｓ）を算出し、ΔＬ４−Ｌ１＞１８０ｍＡｂｓを３点（ｅｘｃｅｌｌｅｎｔ）、１５０ｍＡｂｓ＜ΔＬ４−Ｌ１≦１８０ｍＡｂｓを２点（ｇｏｏｄ）、１００ｍＡｂｓ＜ΔＬ４−Ｌ１≦１５０ｍＡｂｓを１点（ａｖｅｒａｇｅ）、ΔＬ４−Ｌ１≦１００ｍＡｂｓを０点（ｂａｄ）と評価した。実施例１のＨｂＡ１ｃ測定用イムノクロマト試験片の感度はΔＬ４−Ｌ１＝２４０ｍＡｂｓで３点と、高感度な測定が可能であった。
【００５４】
（９）ＨｂＡ１ｃ測定用イムノクロマト試験片の評価：精度の評価
前記ＨｂＡ１ｃ測定用イムノクロマト試験片を水平な台に設置した。次いで、混合時間が１０秒間の前記希釈ＨｂＡ１ｃ試料（Ｌ１、Ｌ４）１００μＬを、マイクロピペットで分取し、サンプルパッドに緩やかに滴下し、２５℃で１０分間静置した。次いで、メンブレン上のコントロールラインおよびテストラインの反射吸光度（ｍＡｂｓ）をイムノクロマトリーダー（Ｃ１００６０−１０、測定モード：Ｇｏｌｄ  Ｃｏｌｌｏｉｄ、Ｌｉｎｅ、浜松ホトニクス社製）を用いて測定した。前記実験操作を前記希釈ＨｂＡ１ｃ試料（Ｌ１、Ｌ４）に対してそれぞれＮ＝１０（合計で前記ＨｂＡ１ｃ測定用イムノクロマト試験片を２０本使用）で行った。精度の指標として、前記希釈ＨｂＡ１ｃ試料（Ｌ１、Ｌ４）のテストラインの反射吸光度（ｍＡｂｓ）をコントロールラインの反射吸光度（ｍＡｂｓ）で割算した補正値（Ｌ１、Ｌ４）をそれぞれ算出した後、得られた補正値（Ｌ１、Ｌ４）のＮ＝１０におけるＣＶ（Ｌ１、Ｌ４）（％）をそれぞれ算出し、さらにＣＶ（Ｌ１）（％）とＣＶ（Ｌ４）（％）との平均値：ＣＶ（％）を算出し、ＣＶ＜３％を３点（ｅｘｃｅｌｌｅｎｔ）、３％≦ＣＶ＜５％を２点（ｇｏｏｄ）、５％≦ＣＶ＜１０％を１点（ａｖｅｒａｇｅ）、ＣＶ≧１０％を０点（ｂａｄ）と評価した。実施例１のＨｂＡ１ｃ測定用イムノクロマト試験片の精度はＣＶ＝２．１％で３点と、高精度な測定が可能であった。
【００５５】
（１０）ＨｂＡ１ｃ測定用イムノクロマト試験片の評価：ＨＰＬＣ法との相関性の評価
前記ＨｂＡ１ｃ測定用イムノクロマト試験片を水平な台に設置した。次いで、混合時間が１０秒間の前記希釈ＨｂＡ１ｃ試料（Ｌ１〜Ｌ５）１００μＬを、マイクロピペットで分取し、サンプルパッドに緩やかに滴下し、２５℃で１０分間静置した。次いで、メンブレン上のコントロールラインおよびテストラインの反射吸光度（ｍＡｂｓ）をイムノクロマトリーダー（Ｃ１００６０−１０、測定モード：Ｇｏｌｄ  Ｃｏｌｌｏｉｄ、Ｌｉｎｅ、浜松ホトニクス社製）を用いて測定した。前記実験操作を前記希釈ＨｂＡ１ｃ試料（Ｌ１〜Ｌ５）に対してそれぞれＮ＝１０（合計で前記ＨｂＡ１ｃ測定用イムノクロマト試験片を５０本使用）で行った。相関性の指標として、前記希釈ＨｂＡ１ｃ試料（Ｌ１〜Ｌ５）のテストラインの反射吸光度（ｍＡｂｓ）をコントロールラインの反射吸光度（ｍＡｂｓ）で割算した補正値（Ｌ１〜Ｌ５）をそれぞれ算出した後、得られた補正値（Ｌ１〜Ｌ５）と、前記希釈ＨｂＡ１ｃ試料（Ｌ１〜Ｌ５）のＨｂＡ１ｃ（％）、Ｌ１＝５．０１％、Ｌ２＝５．６５％、Ｌ３＝７．３５％、Ｌ４＝９．５１％、Ｌ５＝１１．２６％とのピアソン相関係数：ｒを算出し、ｒ＞０．９５を３点（ｅｘｃｅｌｌｅｎｔ）、０．９０＜ｒ≦０９５を２点（ｇｏｏｄ）、０．８５＜ｒ≦０．９０を１点（ａｖｅｒａｇｅ）、ｒ≦０．８５を０点（ｂａｄ）と評価した。実施例１のＨｂＡ１ｃ測定用イムノクロマト試験片の相関性はｒ＝０．９９で３点と、ＨＰＬＣ法で測定したＨｂＡ１ｃ（％）との高い相関性を有していた。
【００５６】
（１１）ＨｂＡ１ｃ測定用イムノクロマト試験片の評価：混合時間依存性の評価
前記ＨｂＡ１ｃ測定用イムノクロマト試験片を水平な台に設置した。次いで、混合時間が１０秒間および１５分間の前記希釈ＨｂＡ１ｃ試料（Ｌ４）１００μＬを、マイクロピペットで分取し、サンプルパッドに緩やかに滴下し、２５℃で１０分間静置した。次いで、メンブレン上のコントロールラインおよびテストラインの反射吸光度（ｍＡｂｓ）をイムノクロマトリーダー（Ｃ１００６０−１０、測定モード：Ｇｏｌｄ  Ｃｏｌｌｏｉｄ、Ｌｉｎｅ、浜松ホトニクス社製）を用いて測定した。前記実験操作を混合時間が１０秒間の希釈ＨｂＡ１ｃ試料（Ｌ４）および混合時間が１５分間の希釈ＨｂＡ１ｃ試料（Ｌ４）に対してそれぞれＮ＝１０（合計で前記ＨｂＡ１ｃ測定用イムノクロマト試験片を２０本使用）で行った。混合時間依存性の指標として、前記混合時間が１５分間の希釈ＨｂＡ１ｃ試料（Ｌ４）のテストラインの反射吸光度（ｍＡｂｓ）のＮ＝１０平均値と、前記混合時間が１０秒間の希釈ＨｂＡ１ｃ試料（Ｌ４）のテストラインの反射吸光度（ｍＡｂｓ）のＮ＝１０平均値との差：Δ１５−１０（ｍＡｂｓ）を算出し、Δ１５−１０＜２０ｍＡｂｓを３点（ｅｘｃｅｌｌｅｎｔ）、２０ｍＡｂｓ≦Δ１５−１０＜４５ｍＡｂｓを２点（ｇｏｏｄ）、４５ｍＡｂｓ≦Δ１５−１０＜１００ｍＡｂｓを１点（ａｖｅｒａｇｅ）、Δ１５−１０≧１００ｍＡｂｓを０点（ｂａｄ）と評価した。実施例１のＨｂＡ１ｃ測定用イムノクロマト試験片の混合時間依存性はΔ１５−１０＝−１０ｍＡｂｓで３点と、測定試料と測定試料希釈液とを混合してからＨｂＡ１ｃ測定用イムノクロマト試験片へ滴下するまでの時間：混合時間によるテストラインの反射吸光度の変動はほぼないことを確認した。
【００５７】
（実施例２〜２５）
測定試料希釈液の組成を変更する以外は実施例１と同様にしてＨｂＡ１ｃ測定用イムノクロマト試験片を作製し評価した。使用した測定試料希釈液の組成および得られた評価結果を表１に示す。なお、表１中のＴ２０はポリオキシエチレンソルビタンモノラウレート：Ｔｗｅｅｎ（登録商標）２０（３５６２４−０２、ＨＬＢ１６．７、ナカライテスク社製）を、Ｔ４０はポリオキシエチレンソルビタンモノパルミテート：Ｔｗｅｅｎ（登録商標）４０（３５７０１−８２、ＨＬＢ１５．６、ナカライテスク社製）を、Ｔ６０はポリオキシエチレンソルビタンモノステアレート：Ｔｗｅｅｎ（登録商標）６０（３５７０２−７２、ＨＬＢ１４．９、ナカライテスク社製）を、Ｔ８０はポリオキシエチレンソルビタンモノオレエート：Ｔｗｅｅｎ（登録商標）８０（３５７０３−６２、ＨＬＢ１５．０、ナカライテスク社製）を、Ｅ１０５はポリオキシエチレンラウリルエーテル：エマルゲン（登録商標）１０５（ＨＬＢ９．７、花王社製）を、Ｅ１０６はポリオキシエチレンラウリルエーテル：エマルゲン（登録商標）１０６（ＨＬＢ１０．５、花王社製）を、Ｅ１０８はポリオキシエチレンラウリルエーテル：エマルゲン（登録商標）１０８（ＨＬＢ１２．１、花王社製）を、Ｅ１０９はポリオキシエチレンラウリルエーテル：エマルゲン（登録商標）１０９Ｐ（ＨＬＢ１３．６、花王社製）を、Ｅ１２０はポリオキシエチレンラウリルエーテル：エマルゲン（登録商標）１２０（ＨＬＢ１５．３、花王社製）を、ＳＤＳはドデシル硫酸ナトリウム（１９４−１３９８５、和光純薬工業社製）を、ＬＤＳはドデシル硫酸リチウム（１２１−０２７４１、和光純薬工業社製）を、ＮａＮＯ２は亜硝酸ナトリウム（１９９−０２５６５、和光純薬工業社製）を、ＮａＮ３はアジ化ナトリウム１９９−１１０９５、和光純薬工業社製）、ＴＸ１００はポリオキシエチレンオクチルフェニルエーテル：Ｔｒｉｔｏｎ（登録商標）Ｘ−１００（１６９−２１１０５、和光純薬工業社製）をそれぞれ示す。
【００５８】
【表１】
2020067395.tif 000002
【００５９】
（比較例１〜８）
測定試料希釈液の組成を変更する以外は実施例１と同様にしてＨｂＡ１ｃ測定用イムノクロマト試験片を作製し評価した。使用した測定試料希釈液の組成および得られた評価結果を表２に示す。
【００６０】
表２に示されるように、界面活性剤を含まない測定試料希釈液を使用した比較例１では、希釈した測定試料の下流への展開が困難であり、かつ測定対象物であるＨｂＡ１ｃが変性されず、コンジュゲーションパッドにてＨｂＡ１ｃと抗ＨｂＡ１ｃ抗体で感作した検出粒子とが免疫複合体を形成できないためか、テストラインが視認できないほど薄く、測定感度が著しく低い結果となった。なお、比較例１では、テストラインの反射吸光度が検出下限付近であったため、その後の精度、相関性、混合時間依存性の評価を行なわなかった。
【００６１】
また、非イオン性界面活性剤のポリオキシエチレンソルビタン脂肪酸エステルであるＴｗｅｅｎ（登録商標）２０のみを含む測定試料希釈液を使用した比較例２では、測定対象物であるＨｂＡ１ｃが変性されず、コンジュゲーションパッドにてＨｂＡ１ｃと抗ＨｂＡ１ｃ抗体で感作した検出粒子とが免疫複合体を形成できないためか、テストラインが視認できないほど薄く、測定感度が著しく低い結果となった。なお、比較例２では、テストラインの反射吸光度が検出下限付近であったため、その後の精度、相関性、混合時間依存性の評価を行なわなかった。
【００６２】
また、非イオン性界面活性剤のポリオキシエチレンアルキルエーテルであるエマルゲン（登録商標）１０８のみを含む測定試料希釈液を使用した比較例３では、希釈した測定試料の下流への展開斑（場合によっては、測定時間内に下流へ展開しない）が生じたためか、測定精度が著しく低い結果となった。また、測定対象物であるＨｂＡ１ｃが変性されるまでに時間がかかるためか、測定試料と測定試料希釈液とを混合してからＨｂＡ１ｃ測定用イムノクロマト試験片へ滴下するまでの時間：混合時間によりテストラインの反射吸光度が大きく変動する結果となった。
【００６３】
また、陰イオン性界面活性剤であるＳＤＳのみを含む測定試料希釈液を使用した比較例４では、希釈した測定試料の下流への展開斑（場合によっては、測定時間内に下流へ展開しない）が生じたためか、測定精度が著しく低い結果となった。また、下流の抗原抗体反応の促進効果が不十分なためか、測定感度が低い結果となった。
【００６４】
また、非イオン性界面活性剤のポリオキシエチレンソルビタン脂肪酸エステルであるＴｗｅｅｎ（登録商標）２０および非イオン性界面活性剤のポリオキシエチレンアルキルエーテルであるエマルゲン（登録商標）１０８を含む測定試料希釈液を使用した比較例５では、測定対象物であるＨｂＡ１ｃが変性されるまでに時間がかかるためか、測定試料と測定試料希釈液とを混合してからＨｂＡ１ｃ測定用イムノクロマト試験片へ滴下するまでの時間：混合時間によりテストラインの反射吸光度が大きく変動する結果となった。
【００６５】
また、非イオン性界面活性剤のポリオキシエチレンソルビタン脂肪酸エステルであるＴｗｅｅｎ（登録商標）２０および陰イオン性界面活性剤であるＳＤＳを含む測定試料希釈液を使用した比較例６では、下流の抗原抗体反応の促進効果が不十分なためか、測定感度が低い結果となった。
【００６６】
また、非イオン性界面活性剤のポリオキシエチレンアルキルエーテルであるエマルゲン（登録商標）１０８および陰イオン性界面活性剤であるＳＤＳを含む測定試料希釈液を使用した比較例７では、希釈した測定試料の下流への展開斑（場合によっては、測定時間内に下流へ展開しない）が生じたためか、測定精度が著しく低い結果となった。
【００６７】
また、非イオン性界面活性剤のポリオキシエチレンアルキルエーテルであるエマルゲン（登録商標）１０８の代わりに非イオン性界面活性剤のポリオキシエチレンアルキルフェニルエーテルであるＴｒｉｔｏｎ（登録商標）Ｘ−１００を使用した比較例８では、下流の抗原抗体反応の促進効果が不十分なためか、測定感度が低い結果となった。なお、Ｔｒｉｔｏｎ（登録商標）Ｘ−１００はＲＥＡＣＨ規制対象物質でもあり、使用は好ましくない。
【００６８】
（比較例９）
りん酸緩衝生理食塩粉末（１６２−１９３２１、和光純薬工業社製）１袋、ポリオキシエチレンラウリルエーテル：エマルゲン（登録商標）１０８（ＨＬＢ：１２．１、花王社製）１０ｇ、ドデシル硫酸ナトリウム：ＳＤＳ（１９４−１３９８５、和光純薬工業社製）１０ｇを蒸留水（大塚蒸留水、大塚製薬社製）１５０ｍＬに溶解し、蒸留水（大塚蒸留水、大塚製薬社製）で２００ｍＬにメスアップした後、５００ｍＬガラス瓶に移し、サンプルパッド塗布液１（５０ｍＭ  ＰＢＳ、５ｗｔ％エマルゲン（登録商標）１０８、５ｗｔ％ＳＤＳ）を調製した。次いで、２０ｍｍ×３００ｍｍのサンプルパッド（ＣＥＬＬＵＬＯＳＥ  ＦＩＢＥＲ  ＳＡＭＰＬＥ  ＰＡＤＳ、ＣＦＳＰ００２０００、Ｍｉｌｌｉｐｏｒｅ社製）の全面に、分注プラットフォーム（ＸＹＺ３０６０、ＢＩＯＤＯＴ社製）と、Ａｉｒ Ｊｅｔノズル（ＡＪＱＨＲ−ＸＹＺ、ＢＩＯＤＯＴ社製）を用い、前記サンプルパッド塗布液１を３０μＬ／ｃｍの塗布量で均一に塗布した後、４５℃に調整した乾燥機（ＷＦＯ−５１０、東京理化器械社製）で３０分間乾燥し、界面活性剤を担持したサンプルパッド１を得た。ＨｂＡ１ｃ測定用イムノクロマト試験片の作製工程において、２０ｍｍ×３００ｍｍのサンプルパッド（ＣＥＬＬＵＬＯＳＥ  ＦＩＢＥＲ  ＳＡＭＰＬＥ  ＰＡＤＳ、ＣＦＳＰ００２０００、Ｍｉｌｌｉｐｏｒｅ社製）の代わりに前記界面活性剤を担持したサンプルパッド１を使用した以外は比較例２と同様にしてＨｂＡ１ｃ測定用イムノクロマト試験片を作製し評価した。使用した測定試料希釈液の組成および得られた評価結果を表２に示す。
【００６９】
非イオン性界面活性剤のポリオキシエチレンソルビタン脂肪酸エステルであるＴｗｅｅｎ（登録商標）２０のみを含む測定試料希釈液を使用し、かつ非イオン性界面活性剤のポリオキシエチレンアルキルエーテルであるエマルゲン（登録商標）１０８および陰イオン性界面活性剤であるＳＤＳをサンプルパッドに担持したイムノクロマト試験片を使用した比較例９では、測定感度が低い結果となった。これは、希釈測定試料がサンプルパッドを通過する僅かな時間では、エマルゲン（登録商標）１０８およびＳＤＳの溶解およびＨｂＡ１ｃの変性が完全には進みきらず、コンジュゲーションパッドにてＨｂＡ１ｃと抗ＨｂＡ１ｃ抗体で感作した検出粒子とが免疫複合体を形成し辛いためと考えられた。つまり、非イオン性界面活性剤のポリオキシエチレンアルキルエーテルであるエマルゲン（登録商標）１０８および陰イオン性界面活性剤であるＳＤＳはサンプルパッドではなく、測定試料希釈液に含む必要があることを示している。
【００７０】
（比較例１０）
りん酸緩衝生理食塩粉末（１６２−１９３２１、和光純薬工業社製）１袋、ポリオキシエチレンソルビタンモノラウレート：Ｔｗｅｅｎ（登録商標）２０（３５６２４−０２、ナカライテスク社製）２０ｇ、ドデシル硫酸ナトリウム：ＳＤＳ（１９４−１３９８５、和光純薬工業社製）１０ｇを蒸留水（大塚蒸留水、大塚製薬社製）１５０ｍＬに溶解し、蒸留水（大塚蒸留水、大塚製薬社製）で２００ｍＬにメスアップした後、５００ｍＬガラス瓶に移し、サンプルパッド塗布液２（５０ｍＭ  ＰＢＳ、１０ｗｔ％Ｔｗｅｅｎ２０、５ｗｔ％ＳＤＳ）を調製した。次いで、２０ｍｍ×３００ｍｍのサンプルパッド（ＣＥＬＬＵＬＯＳＥ  ＦＩＢＥＲ  ＳＡＭＰＬＥ  ＰＡＤＳ、ＣＦＳＰ００２０００、Ｍｉｌｌｉｐｏｒｅ社製）の全面に、分注プラットフォーム（ＸＹＺ３０６０、ＢＩＯＤＯＴ社製）と、Ａｉｒ Ｊｅｔノズル（ＡＪＱＨＲ−ＸＹＺ、ＢＩＯＤＯＴ社製）を用い、前記サンプルパッド塗布液２を３０μＬ／ｃｍの塗布量で均一に塗布した後、４５℃に調整した乾燥機（ＷＦＯ−５１０、東京理化器械社製）で３０分間乾燥し、界面活性剤を担持したサンプルパッド２を得た。ＨｂＡ１ｃ測定用イムノクロマト試験片の作製工程において、２０ｍｍ×３００ｍｍのサンプルパッド（ＣＥＬＬＵＬＯＳＥ  ＦＩＢＥＲ  ＳＡＭＰＬＥ  ＰＡＤＳ、ＣＦＳＰ００２０００、Ｍｉｌｌｉｐｏｒｅ社製）の代わりに前記界面活性剤を担持したサンプルパッド２を使用した以外は比較例３と同様にしてＨｂＡ１ｃ測定用イムノクロマト試験片を作製し評価した。使用した測定試料希釈液の組成および得られた評価結果を表２に示す。
【００７１】
非イオン性界面活性剤のポリオキシエチレンアルキルエーテルであるエマルゲン（登録商標）１０８のみを含む測定試料希釈液を使用し、かつ非イオン性界面活性剤のポリオキシエチレンソルビタン脂肪酸エステルであるＴｗｅｅｎ（登録商標）２０および陰イオン性界面活性剤であるＳＤＳをサンプルパッドに担持したイムノクロマト試験片を使用した比較例１０では、測定感度および精度が低い結果となった。これは、希釈測定試料がサンプルパッドを通過する僅かな時間では、Ｔｗｅｅｎ（登録商標）２０およびＳＤＳの溶解が完全には進みきらず、展開斑が解消されないためと考えられた。つまり、非イオン性界面活性剤のポリオキシエチレンソルビタン脂肪酸エステルであるＴｗｅｅｎ（登録商標）２０および陰イオン性界面活性剤であるＳＤＳはサンプルパッドではなく、測定試料希釈液に含む必要があることを示している。
【００７２】
（比較例１１）
りん酸緩衝生理食塩粉末（１６２−１９３２１、和光純薬工業社製）１袋、ポリオキシエチレンソルビタンモノラウレート：Ｔｗｅｅｎ（登録商標）２０（３５６２４−０２、ナカライテスク社製）２０ｇ、ポリオキシエチレンラウリルエーテル：エマルゲン（登録商標）１０８（ＨＬＢ：１２．１、花王社製）１０ｇを蒸留水（大塚蒸留水、大塚製薬社製）１５０ｍＬに溶解し、蒸留水（大塚蒸留水、大塚製薬社製）で２００ｍＬにメスアップした後、５００ｍＬガラス瓶に移し、サンプルパッド塗布液３（５０ｍＭ  ＰＢＳ、１０ｗｔ％Ｔｗｅｅｎ２０、５ｗｔ％エマルゲン（登録商標）１０８）を調製した。次いで、２０ｍｍ×３００ｍｍのサンプルパッド（ＣＥＬＬＵＬＯＳＥ  ＦＩＢＥＲ  ＳＡＭＰＬＥ  ＰＡＤＳ、ＣＦＳＰ００２０００、Ｍｉｌｌｉｐｏｒｅ社製）の全面に、分注プラットフォーム（ＸＹＺ３０６０、ＢＩＯＤＯＴ社製）と、Ａｉｒ Ｊｅｔノズル（ＡＪＱＨＲ−ＸＹＺ、ＢＩＯＤＯＴ社製）を用い、前記サンプルパッド塗布液３を３０μＬ／ｃｍの塗布量で均一に塗布した後、４５℃に調整した乾燥機（ＷＦＯ−５１０、東京理化器械社製）で３０分間乾燥し、界面活性剤を担持したサンプルパッド３を得た。ＨｂＡ１ｃ測定用イムノクロマト試験片の作製工程において、２０ｍｍ×３００ｍｍのサンプルパッド（ＣＥＬＬＵＬＯＳＥ  ＦＩＢＥＲ  ＳＡＭＰＬＥ  ＰＡＤＳ、ＣＦＳＰ００２０００、Ｍｉｌｌｉｐｏｒｅ社製）の代わりに前記界面活性剤を担持したサンプルパッド３を使用した以外は比較例４と同様にしてＨｂＡ１ｃ測定用イムノクロマト試験片を作製し評価した。使用した測定試料希釈液の組成および得られた評価結果を表２に示す。
【００７３】
陰イオン性界面活性剤であるＳＤＳのみを含む測定試料希釈液を使用し、かつ非イオン性界面活性剤のポリオキシエチレンソルビタン脂肪酸エステルであるＴｗｅｅｎ（登録商標）２０および非イオン性界面活性剤のポリオキシエチレンアルキルエーテルであるエマルゲン（登録商標）１０８をサンプルパッドに担持したイムノクロマト試験片を使用した比較例１１では、測定感度および精度が低い結果となった。これは、希釈測定試料がサンプルパッドを通過する僅かな時間で、Ｔｗｅｅｎ（登録商標）およびエマルゲン（登録商標）１０８の溶解が完全には進みきらず、展開斑が完全には解消されないためと考えられた。つまり、非イオン性界面活性剤のポリオキシエチレンソルビタン脂肪酸エステルであるＴｗｅｅｎ（登録商標）２０および非イオン性界面活性剤のポリオキシエチレンアルキルエーテルであるエマルゲン（登録商標）１０８はサンプルパッドではなく、測定試料希釈液に含む必要があることを示している。
【００７４】
【表２】
2020067395.tif 000003
【産業上の利用可能性】
【００７５】
本発明により、高感度・高精度・ＨＰＬＣ法との高相関性でかつ測定試料と測定試料希釈液とを混合してからの時間経過の影響を受けずに、測定試料中のＨｂＡ１ｃ量のＨｂ量に対する割合であるＨｂＡ１ｃ（％）を測定できるので、産業に寄与することが大である。
【符号の説明】
【００７６】
１：サンプルパッド
２：コンジュゲーションパッド
３：メンブレン
４：吸収パッド
５：バッキングシート
６：テストライン
７：コントロールライン
８：粘着シート
【図１】
2020067395.tif 000004
【図２】
2020067395.tif 000005